(57)【要約】【課題】太陽電池モジュールの意匠性の低下を抑制しながら、固定の安定性を維持する技術を提供する。【解決手段】本体部５２は、中空構造を有する。第１脚部５４は、本体部５２の底面部７２の第１方向側から下方に向かって設けられる。第１鍔部５６は、第１脚部５４の下方部から第１方向に向かって延びる。第２脚部５８は、底面部７２の第２方向側から下方に向かって設けられる。第２鍔部６０は、第２脚部５８の下方部から第２方向に向かって延びる。底面部７２において、第１脚部５４と第２脚部５８とが非配置の部分には貫通孔７４が設けられる。【選択図】図２
2019054667.tif 000002
【特許請求の範囲】
【請求項１】
太陽電池パネルの外縁部が第１方向側から嵌合される嵌合部と、
前記嵌合部の下方に位置する中空構造の本体部と、
前記本体部の底面部の前記第１方向側から下方に向かって設けられる第１脚部と、
前記第１脚部の下方部から前記第１方向に向かって延びる第１鍔部と、
前記本体部の前記底面部の第２方向側であって、かつ前記第１方向とは反対の第２方向側から下方に向かって設けられる第２脚部と、
前記第２脚部の下方部から前記第２方向に向かって延びる第２鍔部とを備え、
前記本体部の前記底面部において、前記第１脚部と前記第２脚部とが非配置の部分には貫通孔が設けられることを特徴とするフレーム。
【請求項２】
前記貫通孔には、接合部材が下方から挿入されることを特徴とする請求項１に記載のフレーム。
【請求項３】
前記第１脚部の下方部あるいは前記第２脚部の下方部から、前記本体部の前記底面部までの距離は、前記接合部材のうちの前記貫通孔に非貫通の部分の上下方向の長さよりも長いことを特徴とする請求項２に記載のフレーム。
【請求項４】
前記本体部は、中空部分を挟んで前記底面部の反対側に天面部を備え、
前記本体部の前記底面部の厚さは、前記本体部の前記天面部の厚さよりも厚いことを特徴とする請求項１から３のいずれか１項に記載のフレーム。
【請求項５】
前記第１鍔部の厚さは、前記第２鍔部の厚さよりも厚いことを特徴とする請求項１から４のいずれか１項に記載のフレーム。
【請求項６】
太陽電池パネルと、
前記太陽電池パネルの少なくとも１つの辺に配置される請求項１から５のいずれか１項に記載のフレームと、
前記フレームに隣接して配置される別フレームと、
隣接した前記フレームと前記別フレームを連結するための複数の連結部材と、
前記複数の連結部材のそれぞれを、前記フレームと前記別フレームに接合するための複数の接合部材と、
を備えることを特徴とする太陽電池モジュール。
【請求項７】
前記第１脚部と前記第２脚部は、架台上に設置可能であり、
前記第１脚部、前記本体部の前記底面部、前記第２脚部で囲まれる部分に嵌め込み可能な突起部が、架台上に設けられることを特徴とする請求項６に記載の太陽電池モジュール。
【発明の詳細な説明】
【技術分野】
【０００１】
本発明は、フレーム、特に太陽電池パネルに取り付けられるフレームおよび太陽電池モジュールに関する。
【背景技術】
【０００２】
太陽電池モジュールでは、太陽電池パネルの外縁部にフレームが取り付けられる。フレームでは、太陽電池パネルの外縁部を嵌め込むための嵌合部の下方に中空構造の本体部が配置される。また、フレームを架台に固定するために、本体部の底面には、太陽電池パネルに対して外側に突出する鍔部が設けられる。さらに、このようなフレームにおける断面二次モーメントを向上させるために、本体部の底面には、太陽電池パネルに対して内側に突出する鍔部も設けられる（例えば、特許文献１参照）。
【先行技術文献】
【特許文献】
【０００３】
【特許文献１】国際公開第１２／０４３４５７号
【発明の概要】
【発明が解決しようとする課題】
【０００４】
隣接した２つのフレームを連結するために、これらのフレームの内部には連結部材が挿入される。また、連結部材は、リベットのような接合部材によってフレームに固定される。その際、フレームの外面から接合部材が挿入されると、接合部材の頭部が外面に露出する。これによる太陽電池モジュールの意匠性の低下を抑制するために、フレームの底面部から接合部材が挿入する方が望ましい。しかしながら、フレームの底面部から接合部材の頭が突出すると、接合部材の頭が架台に干渉するので、フレームと架台との固定の安定性が低下する。
【０００５】
本発明はこうした状況に鑑みなされたものであり、その目的は、太陽電池モジュールの意匠性の低下を抑制しながら、固定の安定性を維持する技術を提供することにある。
【課題を解決するための手段】
【０００６】
上記課題を解決するために、本発明のある態様のフレームは、太陽電池パネルの外縁部が第１方向側から嵌合される嵌合部と、嵌合部の下方に位置する中空構造の本体部と、本体部の底面部の第１方向側から下方に向かって設けられる第１脚部と、第１脚部の下方部から第１方向に向かって延びる第１鍔部と、本体部の底面部の第２方向側であって、かつ第１方向とは反対の第２方向側から下方に向かって設けられる第２脚部と、第２脚部の下方部から第２方向に向かって延びる第２鍔部とを備える。本体部の底面部において、第１脚部と第２脚部とが非配置の部分には貫通孔が設けられる。
【発明の効果】
【０００７】
本発明によれば、太陽電池モジュールの意匠性の低下を抑制しながら、固定の安定性を維持できる。
【図面の簡単な説明】
【０００８】
【図１】図１（ａ）−（ｂ）は、実施例に係る太陽電池モジュールの構造を示す図である。
【図２】図２（ａ）−（ｃ）は、図１の太陽電池モジュールの構造を示す断面図である。
【図３】図３（ａ）−（ｃ）は、図１の長フレームの構造を示す図である。
【図４】図１の太陽電池モジュールの構造を示す別の断面図である。
【図５】図１の太陽電池モジュールを架台に取り付けた場合の構造を示す断面図である。
【図６】図１の太陽電池モジュールを架台に取り付けた場合の別の構造を示す断面図である。
【発明を実施するための形態】
【０００９】
本発明を具体的に説明する前に、概要を述べる。本発明の実施例は、太陽電池モジュールにおける太陽電池パネルの各辺に取り付けられるフレームに関する。フレームを架台に固定するために、太陽電池パネルに対してフレームの外側には鍔部（以下、「外鍔部」という）が設けられる。また、フレームは中空構造を有するので、フレームの断面二次モーメントを向上させるために、太陽電池パネルに対してフレームの内側にも鍔部（以下、「内鍔部」という）が設けられる。フレームの中空構造の部分には、隣接したフレームを連結するための連結部材が挿入され、連結部材は接合部材によってフレームに固定される。
【００１０】
前述のごとく、フレームの外面から接合部材を挿入した場合、接合部材の頭部が外面に露出することによって、太陽電池モジュールの意匠性が低下する。このような意匠性の低下を抑制するために、フレームの下面から接合部材を挿入すると、接合部材の頭部が外面に露出することが防止される。しかしながら、接合部材の頭部がフレームの下面から出てしまうので、太陽電池モジュールを架台に固定した場合に、接合部材の頭部が架台に乗り上げ、架台固定が不安定になる。そのため、フレームの下面から接合部材を挿入することは、一般的に採用されていない。
【００１１】
太陽電池モジュールの意匠性の低下を抑制しながら、架台固定の安定性を維持するために、本実施例に係るフレームでは、中空構造を有した本体部から下方に延びる第１脚部と第２脚部が設けられる。ここで、第１脚部は、太陽電池パネルに対して内側に設けられ、第２脚部は、太陽電池パネルに対して外側に設けられる。また、第１脚部の下方部には内鍔部が設けられ、第２脚部の下方部には外鍔部が設けられる。このような構造によって、本体部の底面部と第１脚部と第２脚部によって溝構造が形成される。この溝構造における底面部に貫通孔を設け、接合部材を下方から貫通孔に挿入させる。その際、接合部材の頭部は溝構造内に収容されるので、接合部材の頭部は架台に乗り上げない。なお、以下の説明において、「平行」は、完全な平行だけではなく、誤差の範囲で平行からずれている場合も含むものとする。また、「略」は、おおよその範囲で同一であるという意味である。
【００１２】
図１（ａ）−（ｂ）は、太陽電池モジュール１００の構造を示す。図１（ａ）は、太陽電池モジュール１００を受光面側から見た場合の構造を示す。太陽電池モジュール１００は、短フレーム１０と総称される第１短フレーム１０ａ、第２短フレーム１０ｂ、長フレーム１２と総称される第１長フレーム１２ａ、第２長フレーム１２ｂ、太陽電池パネル１１０を含む。
【００１３】
図１（ａ）に示すように、ｘ軸、ｙ軸、ｚ軸からなる直交座標系が規定される。ｘ軸、ｙ軸は、太陽電池モジュール１００の平面内において互いに直交する。ｚ軸は、ｘ軸およびｙ軸に垂直であり、太陽電池モジュール１００の厚み方向に延びる。また、ｘ軸、ｙ軸、ｚ軸のそれぞれの正の方向は、図１（ａ）における矢印の方向に規定され、負の方向は、矢印と逆向きの方向に規定される。太陽電池モジュール１００を形成する２つの主表面であって、かつｘ−ｙ平面に平行な２つの主表面のうち、ｚ軸の正方向側に配置される主平面が受光面１１２であり、ｚ軸の負方向側に配置される主平面が裏面１１４である。以下では、ｚ軸の正方向側を「受光面側」と呼び、ｚ軸の負方向側を「裏面側」と呼ぶ。
【００１４】
太陽電池パネル１１０は、ｚ軸方向に互いに反対を向いた受光面１１２と裏面１１４を含みながら、ｙ軸方向よりもｘ軸方向に長い矩形状を有する。太陽電池パネル１１０の受光面１１２側には透光性基板が配置され、裏面１１４側には裏面保護部材であるバックシートが配置される。また、透光性基板とバックシートとの間には、封止部材が配置されており、封止部材によって複数の太陽電池セルが封止されている。例えば、透光性基板には、ガラス基板、透光性プラスチック等が使用され、バックシートには、ＰＥＴ（ポリエチレンテレフタラート）等の樹脂フィルム、Ａｌ箔を樹脂フィルムで挟んだ構造を有する積層フィルムが使用される。また、封止部材には、ポリオレフィン、ＥＶＡ（エチレンビニルアセテート）、ＰＶＢ（ポリビニルブチラール）、ポリイミド等の樹脂フィルムのような熱可塑性樹脂が使用される。
【００１５】
太陽電池パネル１１０のｘ軸方向の両端の２辺には、ｙ軸方向に延びる短フレーム１０が取り付けられ、太陽電池パネル１１０のｙ軸方向の両端の２辺には、ｘ軸方向に延びる長フレーム１２が取り付けられる。隣接した短フレーム１０と長フレーム１２は互いに連結されることによって、２つの短フレーム１０と２つの長フレーム１２は、太陽電池パネル１１０を囲むような枠形状に配置される。短フレーム１０と長フレーム１２は、押出成形によって形成される。また、短フレーム１０と長フレーム１２は、太陽電池パネル１１０を保護するために、例えば、アルミニウム、あるいはアルミニウム合金で形成される。
【００１６】
なお、太陽電池パネル１１０の裏面１１４には、図示しない端子ボックスが取り付けられる。また、端子ボックスには、２本のケーブルのそれぞれの一端側が接続され、２本のケーブルのそれぞれの他端側には、コネクタが接続される。端子ボックス、ケーブル、コネクタは、太陽電池パネル１１０に電気的に接続され、太陽電池パネルから電力を取り出す。太陽電池パネル１１０に短フレーム１０、長フレーム１２、端子ボックス、ケーブル、コネクタを取り付けたものが、太陽電池モジュール１００であるが、以下では、端子ボックス、ケーブル、コネクタの説明を省略する。
【００１７】
図１（ｂ）は、図１（ａ）において、第１短フレーム１０ａと第１長フレーム１２ａとが隣接する部分を拡大した図であり、受光面側から見た場合の構造を示す。ｙ軸方向に延びた第１短フレーム１０ａと、ｘ軸方向に延びた第１長フレーム１２ａとは、略直角につなぎ合わされる。また、それらの内部に連結部材２００を挿入させることによって、第１短フレーム１０ａと第１長フレーム１２ａとが連結される。連結部材２００は、太陽電池モジュール１００の受光面側および裏面側から見えないので、点線で示される。
【００１８】
連結部材２００は、ｘ軸方向に延びる第１連結片２１０ａと、ｙ軸方向に延びる第２連結片２１０ｂとが略直角に結合したＬ字型の形状を有する。なお、連結部材２００において、第１連結片２１０ａと第２連結片２１０ｂは一体的に形成される。このような構造によって、第１連結片２１０ａは、第１長フレーム１２ａの内部に挿入され、第２連結片２１０ｂは、第１短フレーム１０ａの内部に挿入される。
【００１９】
その際、第１長フレーム１２ａへの第１連結片２１０ａの挿入を容易にするために、第１連結片２１０ａのｘ軸の負方向側には、第１連結片端部２１２ａが配置される。ここで、第１連結片端部２１２ａは、鋭角をなす形状に形成される。また、第２連結片２１０ｂにおいても、同様に第２連結片端部２１２ｂが形成される。さらに、第１連結片２１０ａには、円形の第１被挿入部２２０ａが設けられ、第２連結片２１０ｂには、円形の第２被挿入部２２０ｂが設けられる。これらの詳細については後述する。
【００２０】
図１（ａ）において、第１短フレーム１０ａと第２長フレーム１２ｂとの間、第２長フレーム１２ｂと第２短フレーム１０ｂとの間、第２短フレーム１０ｂと第１長フレーム１２ａとの間にも連結部材２００が挿入される。そのため、太陽電池モジュール１００には、４つの連結部材２００が含まれる。
【００２１】
図２（ａ）−（ｃ）は、太陽電池モジュール１００の構造を示す断面図である。図２（ａ）は、図１（ａ）における太陽電池モジュール１００のｙ軸、具体的にはＡ−Ａ’線に沿った断面図である。太陽電池パネル１１０は、ｚ軸方向よりもｙ軸方向に長い形状を有し、ｚ軸の正方向側に受光面１１２を向け、ｚ軸の負方向側に裏面１１４を向けて配置される。また、太陽電池パネル１１０のｙ軸の正方向側端と、ｙ軸の負方向側端のそれぞれは、外縁部１１６と呼ばれる。
【００２２】
第１長フレーム１２ａと第２長フレーム１２ｂとは、左右対称ではあるが、同様の構造を有するので、以下では、第１長フレーム１２ａをもとに説明する。第１長フレーム１２ａ、第２長フレーム１２ｂを総称する長フレーム１２は、嵌合部５０、本体部５２、第１脚部５４、第１鍔部５６、第２脚部５８、第２鍔部６０、壁部６２を含み、本体部５２は、天面部６４、第１中空部６６、第２中空部６８、仕切片７０と総称される第１仕切片７０ａ、第２仕切片７０ｂ、底面部７２を含む。ここで、嵌合部５０、本体部５２、第１脚部５４、第１鍔部５６、第２脚部５８、第２鍔部６０、壁部６２は、一体的に形成される。
【００２３】
嵌合部５０は、後述の本体部５２の受光面側に配置され、本体部５２の天面部６４と組み合わされることによって、ｙ軸の負方向側に窪んだ断面を有する。このような形状によって、嵌合部５０には、ｙ軸の正方向側から太陽電池パネル１１０の外縁部１１６が嵌め込まれる。なお、嵌合部５０および天面部６４と、太陽電池パネル１１０とは、ブチル系の封止材またはシリコン系の接着剤などによって固定される。
【００２４】
本体部５２は、嵌合部５０を裏面側から支持する。本体部５２の受光面側には、嵌合部５０と対向するように天面部６４が配置される。また、本体部５２は、略矩形状の断面を有するとともに、中空構造の内壁に第１仕切片７０ａと第２仕切片７０ｂとを対向して備える。第１仕切片７０ａと第２仕切片７０ｂとによって、中空構造が第１中空部６６と第２中空部６８とに分けられる。本体部５２の裏面側には底面部７２が配置される。つまり、天面部６４と底面部７２は、第１中空部６６と第２中空部６８を挟んで反対側に配置される。
【００２５】
底面部７２のｙ軸の正方向側には、ｚ軸の負方向に向かって延びる第１脚部５４が備えられる。第１脚部５４の下方部、つまりｚ軸の負方向端付近には、ｙ軸の正方向側に延びる第１鍔部５６が配置される。第１鍔部５６は前述の内鍔部を示す。底面部７２のｙ軸の負方向側には、ｚ軸の負方向に向かって延びる第２脚部５８が備えられる。第２脚部５８の下方部、つまりｚ軸の負方向端付近には、ｙ軸の負方向側に延びる第２鍔部６０が配置される。第２鍔部６０は前述の外鍔部を示す。壁部６２は、第２鍔部６０のｙ軸の負方向側端から受光面側に向かって立設される。
【００２６】
第１長フレーム１２ａにおけるｙ軸の正方向側は、太陽電池パネル１１０の内側に相当し、ｙ軸の負方向側は、太陽電池パネル１１０の外側に相当する。太陽電池パネル１１０の内側を第１方向と呼ぶ場合、太陽電池パネル１１０の外側は第２方向と呼ばれる。
【００２７】
図２（ｂ）は、図１（ｂ）における太陽電池モジュール１００のｙ軸、具体的にはＢ−Ｂ’線に沿った断面図である。これは、連結部材２００に第１被挿入部２２０ａが形成された部分を含む断面図であるといえる。図２（ｂ）では、接合部材３００が示される。接合部材３００の一例は、ブラインドリベットである。ブラインドリベットは、穴をあけた部材に差し込んで専用の工具を使用することによって、差し込んだ方の端部を塑性変形させて接合させる部品であり、頭部３１０、胴部３１２、頭部３１４を含む。頭部３１０は、半球形の丸頭、円盤状の平頭、表面側が平で根元が円錐形の皿頭のいずれであってもよいが、ここでは平頭であるとする。また、胴部３１２は、円筒形に形成される。なお、胴部３１２には、ねじ部が形成されない。ここで、頭部３１０および頭部３１４の最も大きい部分の径は、胴部３１２の径よりも大きくなっている。
【００２８】
第１長フレーム１２ａは、図２（ａ）と同様の構造を有するが、断面図における底面部７２において、第１脚部５４と第２脚部５８とが非配置の部分、つまりこれらに挟まれた部分に、接合部材３００を裏面側から挿入するための貫通孔７４を有する。つまり、第１脚部５４、底面部７２、第２脚部５８によって形成される受光面側に向いた窪み部分には貫通孔７４が配置される。なお、この窪み部分は断面図において形成されればよい。さらに、第１長フレーム１２ａにおける第２中空部６８には、連結部材２００が挿入されており、連結部材２００には、貫通孔７４に続いて、接合部材３００を裏面側から挿入するための第１被挿入部２２０ａが設けられる。ここで、貫通孔７４は、底面部７２をｚ軸方向に貫通し、第１被挿入部２２０ａは、連結部材２００をｚ軸方向に貫通する。また、貫通孔７４および第１被挿入部２２０ａの径は、胴部３１２の径よりも大きく、かつ頭部３１０および頭部３１４の最も大きい部分の径よりも小さい。また、頭部３１０は、底面部７２の裏面側に配置される。
【００２９】
ここで、第１脚部５４あるいは第２脚部５８の裏面側端から、底面部７２までの距離「α」は、接合部材３００のうちの貫通孔に非貫通の部分、つまり頭部３１０の高さ方向の長さよりも長い。そのため、頭部３１０は、第１脚部５４あるいは第２脚部５８の裏面側端から裏面側に向かって突出しない。これによって、第１長フレーム１２ａを架台４００に固定した場合に、頭部３１０が接合部材の頭部が架台４００に乗り上げないので、架台固定の安定性が維持される。
【００３０】
前述のごとく、第１脚部５４あるいは第２脚部５８の裏面側端から、底面部７２までの距離「α」が頭部３１０の高さ方向の長さよりも長いので、貫通孔７４から本体部５２の内部への水の進入が抑制される。ここで、第１長フレーム１２ａの高さは「β」と示される。高さ「α」は高さ「β」の１／３以内にされる。
【００３１】
底面部７２の厚さは「ａ」と示され、天面部６４の厚さは「ｂ」と示される。ここでは、底面部７２の厚さ「ａ」が天面部６４の厚さ「ｂ」よりも厚くされる。底面部７２の厚さ「ａ」が厚くなることによって、第１長フレーム１２ａの強度が増加する。また、第１鍔部５６の厚さ「ｃ」は、第２鍔部６０の厚さ「ｄ」よりも厚くされる。第２鍔部６０は、第１長フレーム１２ａを架台４００に固定する場合に、後述する押え金具によって押さえつけられる部分である。そのため、仮に第２鍔部６０の厚さを厚くすると、押え金具によって押さえつける力が弱くなってしまうので、第２鍔部６０の厚さを厚くすることができない。一方、第１鍔部５６は、そのような用途に使用されないので、厚さを厚くすることが可能である。第１鍔部５６の厚さ「ｃ」が厚くなることによって、第１長フレーム１２ａの強度が増加する。
【００３２】
なお、接合部材３００は、ブラインドリベットではなく、ねじであってもよい。図２（ｃ）は、図２（ｂ）の別の構造を示す。接合部材３００は、ねじであり、胴部３１２の少なくとも一部にねじ部が形成される。連結部材２００には、貫通孔７４に続いて、接合部材３００を裏面側から挿入するための第１被挿入部２２０ａが設けられる。ここで、第１被挿入部２２０ａは、連結部材２００の裏面側に形成される。
【００３３】
図３（ａ）−（ｃ）は、長フレーム１２の構造を示す。ここでは、一例として、第１長フレーム１２ａの構造を示すが、第２長フレーム１２ｂも同様である。図３（ａ）は、第１長フレーム１２ａを受光面側から見た場合の構造を示す。図示のごとく、略台形の形状を有する。第２鍔部６０と壁部６２は、嵌合部５０よりもｙ軸の負方向側に突出し、第１鍔部５６は、嵌合部５０よりもｙ軸の正方向側に突出する。また、第２鍔部６０と壁部６２は、ｘ軸方向に延びる。そのため、後述の押え金具による固定が可能な範囲が広がる。
【００３４】
図３（ｂ）は、第１長フレーム１２ａを側面、さらに具体的には太陽電池モジュール１００の外側の側面から見た場合の構造を示す。裏面側に壁部６２が配置される。図３（ｃ）は、第１長フレーム１２ａを裏面側から見た場合の構造を示す。これは、図３（ａ）と同様に、略台形の形状を有する。また、底面部７２には、２つの貫通孔７４が設けられる。貫通孔７４は、例えば、ｙ軸方向よりもｘ軸方向に長い楕円形状を有する。
【００３５】
図４は、太陽電池モジュール１００の構造を示す別の断面図である。これは、図１（ａ）における太陽電池モジュール１００のｘ軸、具体的にはＣ−Ｃ’線に沿った断面図である。太陽電池パネル１１０は、ｚ軸方向よりもｘ軸方向に長い形状を有する。また、太陽電池パネル１１０のｘ軸の正方向側端と、ｘ軸の負方向側端のそれぞれは、外縁部１１６と呼ばれる。
【００３６】
第１短フレーム１０ａと第２短フレーム１０ｂとは、左右対称ではあるが、同様の構造を有するので、以下では、第１短フレーム１０ａをもとに説明する。第１短フレーム１０ａ、第２短フレーム１０ｂを総称する短フレーム１０は、嵌合部２０、本体部２２、脚部２４、底部２６を含み、本体部２２は、天面部２８、第１中空部３０、第２中空部３２、仕切片３４と総称される第１仕切片３４ａ、第２仕切片３４ｂ、底面部４０を含む。ここで、嵌合部２０、本体部２２、脚部２４、底部２６は、一体的に形成される。
【００３７】
嵌合部２０、本体部２２は、嵌合部５０、本体部５２と同様の構造を有する。そのため、天面部２８、第１中空部３０、第２中空部３２、仕切片３４、底面部４０は、天面部６４、第１中空部６６、第２中空部６８、仕切片７０、底面部７２に対応する。本体部２２のｚ軸の負方向側の底面部４０において、ｘ軸の負方向側から、ｚ軸の負方向に向かって脚部２４が備えられる。なお、脚部２４は、底面部４０のどの部分に接続されてもよい。脚部２４のｚ軸の負方向側には、底部２６が配置される。底部２６は、ｘ軸方向に延びた断面を有し、底部２６をｚ軸の負方向側から支持する。
【００３８】
図５は、太陽電池モジュール１００を架台４００に取り付けた場合の構造を示す断面図である。ここでは、太陽電池モジュール１００が固定される架台４００の構造をまず説明する。ｙ軸方向に延びる架台４００は屋根上に設置される。ここで、屋根には複数の架台４００がｘ軸方向に略平行に複数並べられる。架台４００のｚ軸の正方向側の面には、架台４００の長手方向に沿って、ボルト４２０の頭部をスライド可能に保持するガイドレール４１０が形成される。ガイドレール４１０には、ボルト４２０の軸部が架台４００上に立設するようにボルト４２０の頭部が保持される。ボルト４２０は、ガイドレール４１０における所望の位置でナット４３０を用いて固定される。
【００３９】
ｘ軸方向に所定の間隔をあけて配置される２本の架台４００上には、太陽電池モジュール１００が載置される。ここでは、太陽電池モジュール１００における第１長フレーム１２ａと、当該太陽電池モジュール１００に隣接して配置される別の太陽電池モジュール１００における第３長フレーム１２ｃがｘ軸方向において略平行となるように並べられる。そのため、太陽電池モジュール１００と別の太陽電池モジュール１００とはｙ軸方向に並べられる。
【００４０】
押え金具４４０は、略Ｕ字形状を有し、第１長フレーム１２ａの第２鍔部６０と、第３長フレーム１２ｃの第２鍔部６０とに跨って設置される。押え金具４４０がこれらの第２鍔部６０を押さえつけることによって、太陽電池モジュール１００と別の太陽電池モジュール１００が架台４００に固定される。押え金具４４０のｙ軸方向の中央部分にはボルト貫通孔４４２が形成されており、架台４００に固定されたボルト４２０の軸部がボルト貫通孔４４２に挿通される。押え金具４４０のｚ軸の正方向側に突き出たボルト４２０の軸部にナット４３２が取り付けられて、押え金具４４０が架台４００に固定される。
【００４１】
本発明の実施例によれば、本体部５２の底面部７２において、第１脚部５４と第２脚部５８とが非配置の部分には、接合部材３００を下方から挿入するための貫通孔７４が設けられるので、底面部７２の方から本体部５２に接合部材３００を挿入できる。また、底面部７２の方から本体部５２に接合部材３００が挿入されるので、接合部材３００の頭部３１０を目立たなくできる。また、接合部材３００の頭部３１０が目立たなくなるので、太陽電池モジュール１００の意匠性の低下を抑制できる。また、本体部５２の底面部７２には第１脚部５４と第２脚部５８が設けられるので、接合部材３００の頭部３１０が架台４００に接触することを防止できる。また、接合部材３００の頭部３１０が架台４００に接触することが防止されるので、固定の安定性を維持できる。
【００４２】
また、第１脚部５４の下方部あるいは第２脚部５８の下方部から、本体部５２の底面部７２までの距離は、頭部３１０の高さよりも長いので、第１脚部５４の下方部あるいは第２脚部５８の下方部から、頭部３１０が露出することを防止できる。また、第１脚部５４の下方部あるいは第２脚部５８の下方部から、本体部５２の底面部７２までの距離は、頭部３１０の高さよりも長いので、本体部５２の内部に水が進入することを防止できる。また、本体部５２の底面部７２の厚さは、本体部５２の天面部６４の厚さよりも厚いので、長フレーム１２の強度を増加できる。また、第１鍔部５６の厚さは、第２鍔部６０の厚さよりも厚いので、長フレーム１２の強度を強化できる。また、意匠性の低下を抑制しながら、固定の安定性を維持した太陽電池モジュール１００を提供できる。
【００４３】
本実施例の概要は、次の通りである。本発明のある態様の長フレーム１２は、太陽電池パネル１１０の外縁部１１６が第１方向側から嵌合される嵌合部５０と、嵌合部５０の下方に位置する中空構造の本体部５２と、本体部５２の底面部７２の第１方向側から下方に向かって設けられる第１脚部５４と、第１脚部５４の下方部から第１方向に向かって延びる第１鍔部５６と、本体部５２の底面部７２の第２方向側であって、かつ第１方向とは反対の第２方向側から下方に向かって設けられる第２脚部５８と、第２脚部５８の下方部から第２方向に向かって延びる第２鍔部６０とを備える。本体部５２の底面部７２において、第１脚部５４と第２脚部５８とが非配置の部分には貫通孔７４が設けられる。
【００４４】
貫通孔７４には、接合部材３００が下方から挿入されてもよい。
【００４５】
第１脚部５４の下方部あるいは第２脚部５８の下方部から、本体部５２の底面部７２までの距離は、接合部材３００のうちの貫通孔７４に非貫通の部分の上下方向の長さよりも長い。
【００４６】
本体部５２は、中空部分を挟んで底面部７２の反対側に天面部６４を備えてもよい。本体部５２の底面部７２の厚さは、本体部５２の天面部６４の厚さよりも厚い。
【００４７】
第１鍔部５６の厚さは、第２鍔部６０の厚さよりも厚い。
【００４８】
太陽電池パネル１１０と、太陽電池パネル１１０の少なくとも１つの辺に配置される長フレーム１２と、長フレーム１２に隣接した配置される短フレーム１０と、隣接した長フレーム１２と短フレーム１０を連結するための複数の連結部材２００と、複数の連結部材２００のそれぞれを、長フレーム１２と短フレーム１０に接合するための複数の接合部材３００と、を備えてもよい。
【００４９】
第１脚部５４と第２脚部５８は、架台４００上に設置可能であり、第１脚部５４、本体部５２の底面部７２、第２脚部５８で囲まれる部分に嵌め込み可能な突起部４０２が、架台４００上に設けられてもよい。
【００５０】
以上、本発明について実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００５１】
本実施例において、架台４００のｚ軸の正方向側の表面は平面状に形成されている。しかしながらこれに限らず例えば、架台４００のｚ軸の正方向側の表面は平面状でなくてもよい。図６は、太陽電池モジュール１００を架台４００に取り付けた場合の別の構造を示す断面図である。これは、図２（ｂ）−（ｃ）と同様に示される。架台４００のｚ軸の正方向側の表面には、突起部４０２が設けられる。突起部４０２は、長フレーム１２の第１脚部５４、底面部７２、第２脚部５８で囲まれる窪み部に嵌め込み可能である。本変形例によれば、長フレーム１２の移動を抑制できる。
【符号の説明】
【００５２】
１２  長フレーム（フレーム）、  ５０  嵌合部、  ５２  本体部、  ５４  第１脚部、  ５６  第１鍔部、  ５８  第２脚部、  ６０  第２鍔部、  ６２  壁部、  ６４  天面部、  ６６  第１中空部、  ６８  第２中空部、  ７０  仕切片、  ７２  底面部、  ７４  貫通孔、  １００  太陽電池モジュール、  １１０  太陽電池パネル、  １１２  受光面、  １１４  裏面、  １１６  外縁部、  ２００  連結部材、  ３００  接合部材、  ４００  架台、  ４０２  突起部。
【図１】
2019054667.tif 000003
【図２】
2019054667.tif 000004
【図３】
2019054667.tif 000005
【図４】
2019054667.tif 000006
【図５】
2019054667.tif 000007
【図６】
2019054667.tif 000008